(57)【特許請求の範囲】
【請求項１】
移動体で収集したセンサ情報を分析することにより路上の劣化を診断し、検出された劣化の位置を出力する診断手段と、
人により確認された路上の劣化の位置と前記診断により検出された劣化の位置とに基づいて、前記診断の結果と前記確認の結果とを関連づける関連付け手段と、
前記関連づけられた前記診断の結果と前記確認の結果とを記憶する記憶手段と、を備える
劣化診断装置。
【請求項２】
前記関連付け手段は、前記検出された劣化の位置と前記確認された劣化の位置との間の距離に関する条件と、前記センサ情報が収集された日時と前記確認された日時との時間差に関する条件、及び、前記検出された劣化と前記確認された劣化の種別に関する条件のうちの１つ以上と、を含む関連付け条件に基づいて、前記診断の結果と前記確認の結果とを関連づける、
請求項１に記載の劣化診断装置。
【請求項３】
前記関連付け手段は、前記関連付け条件を満たす前記診断の結果が複数ある場合に、当該複数の前記診断の結果を出力し、当該複数の前記診断の結果のうちの前記確認の結果と関連付ける前記診断の結果の選択を受け付ける、
請求項２に記載の劣化診断装置。
【請求項４】
さらに、前記確認の結果が関連付けられた前記診断の結果を、前記確認の結果が関連付けられていない前記診断の結果と異なる態様で、表示手段に表示させる、表示制御手段を備える、
請求項１乃至３のいずれか１項に記載の劣化診断装置。
【請求項５】
請求項１乃至３のいずれか１項に記載の劣化診断装置と、
前記確認の結果の入力を受け付け、当該確認の結果を前記劣化診断装置に送信する、端末装置と、
を備える劣化診断システム。
【請求項６】
前記端末装置は、当該端末装置の位置から、前記検出された劣化の位置までのルートを、当該端末装置の利用者に出力する、
請求項５に記載の劣化診断システム。
【請求項７】
前記端末装置は、当該端末装置の位置と前記検出された劣化の位置との間の距離が所定の閾値以下の場合、当該端末装置の利用者に通知する、
請求項５または６に記載の劣化診断システム。
【請求項８】
移動体で収集したセンサ情報を分析することにより路上の劣化を診断し、
検出された劣化の位置を出力し、
人により確認された路上の劣化の位置と前記診断により検出された劣化の位置とに基づいて、前記診断の結果と前記確認の結果とを関連づけ、
前記関連づけられた前記診断の結果と前記確認の結果とを記憶する
劣化診断方法。
【請求項９】
コンピュータに、
移動体で収集したセンサ情報を分析することにより路上の劣化を診断し、
検出された劣化の位置を出力し、
人により確認された路上の劣化の位置と前記診断により検出された劣化の位置とに基づいて、前記診断の結果と前記確認の結果とを関連づけ、
前記関連づけられた前記診断の結果と前記確認の結果とを記憶する処理を実行させるプログラム。
【発明の詳細な説明】
【技術分野】
【０００１】
本開示は、劣化診断システム、劣化診断装置、劣化診断方法、及び、記録媒体に関する。
【背景技術】
【０００２】
道路の点検において、車両から撮影した道路画像をコンピュータで解析することにより、道路劣化を検出する劣化診断システムの導入が進められている。【０００３】
このような劣化診断システムの一例として、例えば、特許文献１には、車両により撮像した道路画像を収集して、道路劣化を検出し、端末に対して地図上の地点から、劣化等に関する情報を参照可能に表示させる舗装情報収集点検システムが開示されている。また、特許文献２には、路面画像情報の解析により検出された路面不具合と路面不具合の位置とを対応付け、地図上に示す不具合解析システムが開示されている。
【先行技術文献】
【特許文献】
【０００４】
【特許文献１】特開２０１９−１９６６８０号公報
【特許文献２】特開２０１８−０１７１０２号公報
【発明の概要】
【発明が解決しようとする課題】
【０００５】
特許文献１や特許文献２に記載されたような劣化診断システムを用いて道路劣化を管理する場合、道路管理者等は、劣化の詳細な状態を調べるために、実際に劣化が発生している場所（現地）へ行き、直接、目視等で、劣化を確認する必要がある。この場合、道路管理者等は、劣化診断システムにより出力された劣化の状態や検出位置を参考に、現地へ行って劣化を確認するが、劣化診断システムにより出力された劣化とは別の劣化を確認してしまう可能性がある。このため、劣化診断システムで検出された劣化に対して、誤った確認結果が関連付けられてしまう可能性がある。【０００６】
本開示の目的の一つは、上述の課題を解決し、移動体で収集したセンサ情報に基づいて検出された劣化に対して、その発生場所での、正しい確認結果を関連付けることができる、劣化診断システム、劣化診断装置、劣化診断方法、及び、記録媒体を提供することである。
【課題を解決するための手段】
【０００７】
本開示の一態様における劣化診断装置は、移動体で収集したセンサ情報を分析することにより路上の劣化を診断し、検出された劣化の位置を出力する診断手段と、人により確認された路上の劣化の位置と前記診断により検出された劣化の位置とに基づいて、前記診断の結果と前記確認の結果とを関連づける関連付け手段と、前記関連づけられた前記診断の結果と前記確認の結果とを記憶する記憶手段と、を備える。【０００８】
本開示の一態様における劣化診断システムは、本開示の一態様における劣化診断装置と、前記確認の結果の入力を受け付け、当該確認の結果を前記劣化診断装置に送信する、端末装置と、を備える。【０００９】
本開示の一態様における劣化診断方法は、移動体で収集したセンサ情報を分析することにより路上の劣化を診断し、検出された劣化の位置を出力し、人により確認された路上の劣化の位置と前記診断により検出された劣化の位置とに基づいて、前記診断の結果と前記確認の結果とを関連づけ、前記関連づけられた前記診断の結果と前記確認の結果とを記憶する。【００１０】
本開示の一態様における記録媒体は、コンピュータに、移動体で収集したセンサ情報を分析することにより路上の劣化を診断し、検出された劣化の位置を出力し、人により確認された路上の劣化の位置と前記診断により検出された劣化の位置とに基づいて、前記診断の結果と前記確認の結果とを関連づけ、前記関連づけられた前記診断の結果と前記確認の結果とを記憶する処理を実行させるプログラムを記録する。
【発明の効果】
【００１１】
本開示の効果は、移動体で収集したセンサ情報に基づいて検出された劣化に対して、その発生場所での、正しい確認結果を関連付けることができることである。
【図面の簡単な説明】
【００１２】
【図１】第１の実施形態における、劣化診断システム１０の構成を示す図である。
【図２】第１の実施形態における、診断結果の例を示す図である。
【図３】第１の実施形態における、確認結果の例を示す図である。
【図４】第１の実施形態における、劣化診断装置２０と端末装置５０との構成を示すブロック図である。
【図５】第１の実施形態における、劣化情報の例を示す図である。
【図６】第１の実施形態における、劣化診断システム１０の全体的な動作を示すフローチャートである。
【図７】第１の実施形態における、診断処理（ステップＳ１１）の詳細を示すフローチャートである。
【図８】第１の実施形態における、劣化情報の他の例を示す図である。
【図９】第１の実施形態における、劣化診断装置２０の劣化位置地図画面の例を示す図である。
【図１０】第１の実施形態における、劣化情報画面の例を示す図である。
【図１１】第１の実施形態における、端末装置５０の劣化位置地図画面の例を示す図である。
【図１２】第１の実施形態における、ルート案内処理（ステップＳ１７）の詳細を示すフローチャートである。
【図１３】第１の実施形態における、ルート案内画面の例を示す図である。
【図１４】第１の実施形態における、劣化位置案内画面の例を示す図である。
【図１５】第１の実施形態における、確認結果入力画面の例を示す図である。
【図１６】第１の実施形態における、関連付け処理（ステップＳ２１）の詳細を示すフローチャートである。
【図１７】第１の実施形態における、劣化診断装置２０の劣化位置地図画面の他の例を示す図である。
【図１８】第１の実施形態における、劣化情報画面の他の例を示す図である。
【図１９】第１の実施形態における、劣化位置地図画面における劣化の表示態様の定義例を示す図である。
【図２０】第１の実施形態における、劣化情報のさらに他の例を示す図である。
【図２１】第１の実施形態における、劣化位置地図画面のさらに他の例を示す図である。
【図２２】第１の実施形態における、劣化の表示態様の遷移の例を示す図である。
【図２３】第１の実施形態における、劣化の表示態様の遷移の他の例を示す図である。
【図２４】第２の実施形態における、診断結果選択画面の例を示す図である。
【図２５】第３の実施形態における、劣化診断装置１の構成を示すブロック図である。
【図２６】コンピュータ５００のハードウェア構成の例を示すブロック図である。
【発明を実施するための形態】
【００１３】
実施形態について図面を参照して詳細に説明する。なお、各図面、及び、明細書記載の各実施形態において、同様の構成要素には同一の符号を付与し、説明を適宜省略する。
【００１４】
（第１の実施形態）
第１の実施形態について説明する。
【００１５】
はじめに、第１の実施形態における劣化診断システムの全体的な構成を説明する。図１は、第１の実施形態における、劣化診断システム１０の構成を示す図である。図１を参照すると、劣化診断システム１０は、劣化診断装置２０、表示装置３０、複数の車両４０＿１、４０＿２、…４０＿Ｎ（Ｎは自然数）（以下、まとめて、車両４０とも記載）、端末装置５０＿１、５０＿２、…５０＿Ｍ（Ｍは自然数）（以下、まとめて、端末装置５０とも記載）を含む。
【００１６】
劣化診断装置２０と車両４０は、通信ネットワーク等を介して接続される。また、劣化診断装置２０と端末装置５０も、通信ネットワーク等を介して接続される。
【００１７】
車両４０は、例えば、地方自治体や、道路管理会社等、道路管理機関に属する。車両４０は、ドライブレコーダーのカメラ等の画像センサにより道路画像を撮像し、画像データを撮影位置及び撮影日時とともに、画像情報として、劣化診断装置２０に送信する。また、車両４０は、加速度センサにより車両４０の上下方向の加速度を検出し、検出位置及び検出日時とともに、加速度情報として、劣化診断装置２０に送信する。以下、画像情報や加速度情報等、車両に搭載されたセンサにより検出された情報をセンサ情報とも記載する。
【００１８】
劣化診断装置２０及び表示装置３０は、例えば、上述の道路管理機関に配置される。劣化診断装置２０及び表示装置３０は、一体でも別体でもよい。また、劣化診断装置２０は、上述の道路管理機関以外に配置されてもよい。この場合、劣化診断装置２０は、クラウドコンピューティングシステムにより実現されてもよい。
【００１９】
劣化診断装置２０は、それぞれの車両４０から送信されるセンサ情報に基づいて、道路の劣化を診断する。ここで、劣化診断装置２０は、診断により、路面に発生した「ひび割れ」や、「わだち掘れ」、「ポットホール」、「平坦性異常」等、路面の劣化を検出する。センサ情報に基づく道路の劣化の診断方法には、公知技術が用いられる。劣化診断装置２０は、診断結果を、表示装置３０や端末装置５０を介して、道路管理機関の道路管理者や作業者等に出力する。
【００２０】
図２は、第１の実施形態における、診断結果の例を示す図である。診断結果は、図２のように、情報取得日時、検出位置、検出種別、検出状態、及び、診断画像を含む。ここで、情報取得日時は、診断対象のセンサ情報の取得日時（画像情報の撮影日時や加速度情報の取得日時）を示す。検出位置は、診断により検出された劣化の検出位置を示す。検出位置は、診断対象のセンサ情報の取得位置（画像情報の撮影位置や加速度情報の取得位置）でもよい。
【００２１】
検出種別は、診断により検出された劣化種別を示す。劣化種別としては、例えば、路面に発生した「ひび割れ」や、「わだち掘れ」、「ポットホール」、「平坦性異常」等が用いられる。検出状態は、検出種別に応じた劣化度を示す。劣化度としては、例えば、検出種別「ひび割れ」に対しては、ひび割れ率が、検出種別「わだち掘れ」に対しては、わだち掘れ量等が用いられる。ここで、ひび割れ率とは、検出位置（撮影位置）において撮影された道路画像に含まれる劣化の面積と、当該画像に含まれる道路の面積との比率を示す値である。また、例えば、検出種別「平坦性異常」に対しては、国際ラフネス指数（International Roughness Index（ＩＲＩ））が用いられてもよい。ＩＲＩは、検出位置において取得された加速度情報に含まれる上下方向の加速度に基づいて算出される、道路の平坦性（道路の凹凸）を示す劣化指標である。また、劣化度として、維持管理指数（Maintenance Control Index（ＭＣＩ））が用いられてもよい。ＭＣＩは、ひび割れ率、わだち掘れ量、及び、平坦性等から求められる複合劣化指標である。診断画像は診断対象の道路画像に関する画像情報の画像データを示す。
【００２２】
端末装置５０は、道路管理機関の作業者等により携帯される。端末装置５０は、例えば、タブレットやスマートフォンである。作業者は、端末装置５０に出力された診断結果を参考に、検出された劣化が発生している場所（以下、現地とも記載）へ行き、劣化を直接、目視等で確認する。現地で劣化を確認した作業者は、端末装置５０を用いて、劣化の確認結果を劣化診断装置２０に送信する。
【００２３】
図３は、第１の実施形態における、確認結果の例を示す図である。確認結果は、例えば、確認日時、確認位置、確認種別、コメント、確認画像、及び、補修状態を含む。ここで、確認日時は、現地で劣化を確認した日時を示す。確認日時には、例えば、確認画像の撮影日時が設定される。なお、確認日時には、確認結果が送信される日時や、作業者により確認種別やコメントが入力された日時が設定されてもよい。確認位置は、現地で確認された劣化の位置を示す。確認位置には、例えば、確認画像の撮影位置が設定される。なお、確認位置には、確認結果が送信された時点や、作業者により確認種別やコメントが入力された時点の端末装置５０の位置が設定されてもよい。確認種別は、作業者により入力される、現地で確認された劣化種別を示す。コメントは、作業者により入力される、現地で確認された劣化についてのコメントである。確認画像は、現地で確認された劣化を撮像した画像データである。確認画像の画像データは、例えば、作業者が現地へ行って劣化を確認したときに、当該劣化に対して作業者により撮影された１以上の画像データから作業者により指定される。補修状態は、現地で確認された劣化が補修されているか否かを示す。劣化が補修されている場合、補修状態には「済」が設定される。劣化が補修されていない場合、補修状態には「未」が設定される。補修は、例えば、作業者が現地で劣化を確認したタイミングで行われる。また、補修は、作業者が現地で劣化を確認したタイミングより後に行われてもよい。なお、確認結果は、さらに、確認を行った作業者の氏名や識別子、確認作業に用いた端末装置５０の識別子を含んでいてもよい。
【００２４】
劣化診断装置２０は、端末装置５０から受信した確認結果を、診断結果と関連付けて記憶する。
【００２５】
なお、本実施形態では、センサ情報を送信する移動体が車両４０の場合について説明するが、センサ情報を取得し劣化診断装置２０に送信できれば、移動体は、自転車やドローン、人でもよい。
【００２６】
また、本実施形態では、センサ情報に基づく劣化診断の対象が、路上の舗装の劣化（路面の劣化）であり、診断の結果、上述の劣化種別が検出される場合について説明する。しかしながら、これに限らず、劣化診断の対象は、シール材等の補修材や白線、ガードレール、標識、路面標識、街灯等、路上に設置されたものでもよい。この場合、診断の結果、劣化が検出されたものの種別が出力される。また、上述の検出種別として、劣化種別の代わりに、これら補修材や白線、ガードレール、標識、路面標識、街灯等、劣化が検出されたものの種別が用いられる。さらに、センサ情報に基づく診断の対象は、劣化に限らず、路上の積雪や落下物等の障害物でもよい。この場合、診断の結果、検出された障害物の種別が出力される。また、上述の検出種別として、劣化種別の代わりに、積雪や落下物等、検出された障害物の種別が用いられ、検出状態には、上述の劣化度の代わりに、積雪量や落下物の大きさ等、検出された障害物の量や大きさが用いられる。
【００２７】
また、劣化診断の対象は、空港の滑走路や誘導路、待機場、鉄道の線路等、自動車以外が走行する路上でもよい。
【００２８】
また、劣化診断の対象は、移動体により収集されたセンサ情報に基づき診断されるものであれば、路上に限らず、地上に設置される各種建物や施設、設備等の構造物でもよい。
【００２９】
次に、第１の実施形態における劣化診断装置２０と端末装置５０の構成を説明する。図４は、第１の実施形態における、劣化診断装置２０と端末装置５０との構成を示すブロック図である。
【００３０】
劣化診断装置２０は、図４に示すように、劣化診断部２１、劣化情報処理部２２、表示制御部２３、及び、送受信部２８を含む。
【００３１】
劣化診断部２１は、センサ情報取得部２４、センサ情報記憶部２５、分析部２６、及び、分析モデル記憶部２７を含む。
【００３２】
センサ情報取得部２４は、車両４０のそれぞれからセンサ情報を取得する。
【００３３】
分析部２６は、公知技術を用いて、取得したセンサ情報に基づく劣化診断、すなわち、センサ情報の分析による劣化の有無や種別の判定を行う。例えば、劣化診断装置２０は、道路の劣化の画像を機械学習により学習させた分析モデルを用いて、画像情報を分析する。そして、分析部２６は、検出された劣化について、劣化度合いを算出する。分析部２６は、診断結果を、劣化情報処理部２２に出力する。
【００３４】
分析モデル記憶部２７は、分析部２６が用いる分析モデルを記憶する。
【００３５】
劣化情報処理部２２は、劣化情報記憶部２９、及び、劣化情報生成部３１を含む。
【００３６】
劣化情報生成部３１は、劣化情報を生成する。劣化情報は、分析部２６から入力された診断結果に、端末装置５０から受信した確認結果を関連付けた（紐づけた）情報である。図５は、第１の実施形態における、劣化情報の例を示す図である。劣化情報は、図５に示すように、劣化ＩＤ（IDentifier）、診断結果、及び、確認結果を含む。劣化ＩＤは、劣化診断部２１により検出された劣化を一意に識別する識別子である。劣化ＩＤは、劣化情報生成部３１により付与される。劣化情報生成部３１は、診断結果に含まれる検出位置と確認結果に含まれる確認位置とに基づいて、診断結果と確認結果とを関連付け（紐づけ）る。
【００３７】
劣化情報記憶部２９は、劣化情報生成部３１により生成された劣化情報を記憶する。
【００３８】
表示制御部２３は、劣化情報に基づき、劣化の検出位置を示す地図画面（以下、劣化位置地図画面）や、劣化位置地図画面上で指定された劣化情報を示す画面（以下、劣化情報画面とも記載）を、表示装置３０や端末装置５０に表示させる。表示制御部２３は、劣化位置地図画面において、確認結果の有無等に応じて異なる表示態様で劣化の検出位置を表示する。
【００３９】
送受信部２８は、端末装置５０からの要求に応じて、劣化位置地図画面や劣化情報画面、劣化情報の内容（例えば、劣化の検出位置）を送信する。また、送受信部２８は、端末装置５０から確認結果を受信する。
【００４０】
端末装置５０は、図４に示すように、送受信部５１、位置取得部５２、案内部５３、撮像部５４、表示部５５、及び、入力部５６を含む。
【００４１】
送受信部５１は、劣化診断装置２０から、劣化位置地図画面や劣化情報画面、劣化情報の内容（例えば、劣化の検出位置）を受信する。また、送受信部５１は、劣化診断装置２０に確認結果を送信する。
【００４２】
位置取得部５２は、端末装置５０の位置を示す位置情報を取得する。位置取得部５２は、例えば、ＧＰＳ（Global Positioning System）を用いて位置情報を取得する。
【００４３】
案内部５３は、位置取得部５２が取得した端末装置５０の位置と、劣化診断装置２０から受信した劣化の検出位置に基づき、検出位置までのルート案内を行う。また、案内部５３は、端末装置５０が劣化の検出位置に近づいたことを、作業者に通知する。
【００４４】
撮像部５４は、動画や静止画を撮像する。撮像部は、ルート案内時に、進行方向の道路画像を撮像する。また、撮像部５４は、作業者の操作に応じて、確認した劣化を撮像する。撮像部５４は、例えば、タブレットやスマートフォンに搭載されているカメラである。
【００４５】
表示部５５は、地図上で、劣化診断装置２０から受信した劣化の検出位置を表示する。また、表示部５５は、案内部５３が取得したルートを表示する。さらに、表示部５５は、作業者による確認結果の入力画面を表示する。表示部５５は、例えば、タブレットやスマートフォンのディスプレイである。
【００４６】
入力部５６は、作業者より、端末装置５０に対する操作の指示や、劣化の確認結果の入力を受け付ける。入力部５６は、例えば、タブレットやスマートフォンのディスプレイ表面に設けられたタッチパネルである。
【００４７】
なお、劣化診断部２１、劣化情報生成部３１、及び、劣化情報記憶部２９は、それぞれ、本開示の診断手段、関連付け手段、及び、記憶手段の一実施形態である。また、表示制御部２３は、本開示の表示制御手段の一実施形態である。さらに、表示装置３０や端末装置５０は、本開示の表示手段の一実施形態である。
【００４８】
次に、第１の実施形態の動作について説明する。
【００４９】
図６は、第１の実施形態における、劣化診断システム１０の全体的な動作を示すフローチャートである。
【００５０】
劣化診断システム１０の劣化診断装置２０は、各車両４０から送信されるセンサ情報に基づいて、道路の劣化を診断し、診断結果を生成する（ステップＳ１１）。
【００５１】
図７は、第１の実施形態における、診断処理（ステップＳ１１）の詳細を示すフローチャートである。
【００５２】
各車両４０は、取得したセンサ情報（画像情報、及び、加速度情報）を、劣化診断装置２０に送信する（ステップＳ１１１）。
【００５３】
劣化診断装置２０において、劣化診断部２１のセンサ情報取得部２４は、センサ情報を取得する（ステップＳ１１２）。分析部２６は、センサ情報の分析により、道路の劣化を診断する（ステップＳ１１３）。分析部２６は、診断により検出された劣化について、診断結果を生成する（ステップＳ１１４）。例えば、分析部２６は、図２のような診断結果を生成する。分析部２６は、診断結果を劣化情報処理部２２に出力する。
【００５４】
劣化情報処理部２２の劣化情報生成部３１は、診断結果を劣化情報に格納し、劣化情報記憶部２９に記憶させる（ステップＳ１１５）。図８は、第１の実施形態における、劣化情報の他の例を示す図である。例えば、劣化情報生成部３１は、図８のように、劣化ＩＤ「Ｄ１」に対して、図２の診断結果を格納する。
【００５５】
次に、表示制御部２３は、劣化情報に基づき、表示装置３０に、劣化位置地図画面を表示させる（ステップＳ１２）。図９は、第１の実施形態における、劣化診断装置２０の劣化位置地図画面の例を示す図である。図９の例では、地図上の劣化「Ｄ１」の検出位置に白丸が表示され、さらに、「劣化情報」ボタンが表示されている。ここで、白丸は、確認結果が得られていない（関連付けられていない）劣化を示す。例えば、表示制御部２３は、図８の劣化情報に基づき、図９の劣化位置地図画面を表示装置３０に表示させる。
【００５６】
表示制御部２３は、表示装置３０の劣化位置地図画面上で、道路管理者から指定された劣化の劣化情報を示す劣化情報画面を、表示装置３０に表示させる（ステップＳ１３）。図１０は、第１の実施形態における、劣化情報画面の例を示す図である。図１０は、劣化「Ｄ１」が指定された場合の例であり、劣化「Ｄ１」の診断結果における、情報取得日時、検出種別、検出状態、及び、診断画像が示されている。例えば、表示制御部２３は、図９の劣化位置地図画面で、道路管理者が劣化「Ｄ１」を指定し、「劣化情報」ボタンを押下すると、図８の劣化情報に基づき、図１０の劣化情報画面を表示装置３０に表示させる。
【００５７】
道路管理者は、劣化情報画面により劣化の診断結果を確認し、当該劣化の現地での確認が必要と判断すると、作業者に当該劣化の現地確認を指示する。作業者は、端末装置５０を携帯して、現地へ向かう。
【００５８】
次に、端末装置５０の案内部５３は、作業者の操作に応じて、劣化診断装置２０に、劣化位置地図画面を要求する（ステップＳ１４）。劣化診断装置２０の表示制御部２３は、端末装置５０からの要求に応じて、端末装置５０に劣化位置地図画面を送信する（ステップＳ１５）。
【００５９】
端末装置５０の案内部５３は、受信した劣化位置地図画面を表示部５５に表示させる（ステップＳ１６）。ここで、案内部５３は、劣化位置地図画面に、位置取得部５２が取得した端末装置５０の位置を示して、表示させる。図１１は、第１の実施形態における、端末装置５０の劣化位置地図画面の例を示す図である。図１１の例では、図９と同様の劣化位置地図画面において、端末装置５０の現在位置が、黒い三角で示され、さらに、「ルート案内」ボタン、及び、「確認結果入力」ボタンが表示されている。例えば、案内部５３は、図１１の劣化位置地図画面を表示部５５に表示させる。
【００６０】
なお、案内部５３は、上述のステップＳ１３と同様に、劣化位置地図画面上で、作業者から劣化の指定を受け付け、指定された劣化の劣化情報画面を、劣化診断装置２０の表示制御部２３から取得し、表示部５５に表示させてもよい。
【００６１】
次に、案内部５３は、劣化の検出位置へのルート案内を行う（ステップＳ１７）。
【００６２】
図１２は、第１の実施形態における、ルート案内処理（ステップＳ１７）の詳細を示すフローチャートである。案内部５３は、劣化位置地図画面上で、作業者から劣化の指定を受け付ける（ステップＳ１７１）。案内部５３は、指定された劣化の検出位置と端末装置５０の位置とに基づいて、端末装置５０の位置から検出位置までのルートを取得する（ステップＳ１７２）。ここで、案内部５３は、例えば、ルートを、地図情報提供サービス等を提供するサーバ装置（図示せず）から取得する。また、案内部５３は、端末装置５０に記憶された地図情報に基づいてルートを算出してもよい。案内部５３は、取得したルートが劣化位置地図画面上に示されたルート案内画面を、表示部５５に表示させる。
【００６３】
図１３は、第１の実施形態における、ルート案内画面の例を示す図である。図１３の例では、劣化位置地図画面上に、端末装置５０の現在の位置から劣化「Ｄ１」の検出位置までのルートが太線で示され、さらに、「案内開始」ボタンが表示されている。例えば、案内部５３は、図１１の劣化位置地図画面上で、作業者が劣化「Ｄ１」を指定し、「ルート案内」ボタンを押下すると、図１３のルート案内画面を表示する。そして、案内部５３は、図１３のルート案内画面上で、作業者が「案内開始」ボタンを押下すると、ルート案内を開始する。
【００６４】
案内部５３は、取得したルートに沿って、作業者を検出位置まで案内する（ステップＳ１７３）。ここで、案内部５３は、例えば、周知のナビゲーション技術を用いて、交差点や分岐点等で必要な案内を行う。
【００６５】
案内部５３は、端末装置５０の位置と検出位置との間の距離が所定の閾値以下かを判断する（ステップＳ１７４）。
【００６６】
案内部５３は、距離が所定の閾値以下の場合（ステップＳ１７４／Ｙｅｓ）、端末装置５０が劣化の検出位置に近づいたことを、作業者に通知する（ステップＳ１７５）。ここで、案内部５３は、例えば、撮像部５４が撮像した進行方向の道路画像内で劣化の検出位置を示した劣化位置案内画面を、表示部５５に表示させる。図１４は、第１の実施形態における、劣化位置案内画面の例を示す図である。図１４の例では、撮像部５４が撮像した道路画像上の検出位置「ＬＤ１」に相当する位置に、劣化「Ｄ１」を示す白丸と検出種別「ひび割れ」を示すアイコンが重畳されている。例えば、案内部５３は、図１４の劣化位置案内画面を表示させる。作業者は、劣化位置案内画面を見ながら、丸が重畳表示されている地点まで近づくことにより、劣化診断装置２０により検出された劣化に対応する劣化を、現地で容易に見つけることができる。
【００６７】
作業者は、劣化診断装置２０により検出された劣化に対応する劣化を、直接、目視等で確認する。ここで、作業者は、撮像部５４を用いて、確認した劣化を撮像する。
【００６８】
次に、入力部５６は、作業者から、確認した劣化について、確認結果の入力を受け付ける（ステップＳ１8）。図１５は、第１の実施形態における、確認結果入力画面の例を示す図である。図１５の例では、劣化位置地図画面上に、確認日時、確認位置とともに、確認種別、コメント、補修状態、確認画像の画像データの入力欄が表示され、さらに、「送信」ボタンが表示されている。例えば、入力部５６は、作業者が図１１の劣化位置地図画面で「確認結果入力」ボタンを押下すると、図１５の確認結果入力画面を表示する。そして、入力部５６は、作業者が図１５の確認結果入力画面で確認画像の画像データを指定すると、確認日時、確認位置に、確認画像の撮影日時、撮影位置を表示する。
【００６９】
送受信部５１は、確認結果を劣化診断装置２０に送信する（ステップＳ１９）。例えば、送受信部５１は、作業者が図１５の確認結果入力画面で「送信」ボタンを押下すると、図３の確認結果を劣化診断装置２０に送信する。
【００７０】
劣化診断装置２０の送受信部２８は、端末装置５０から、確認結果を受信する（ステップＳ２０）。劣化情報処理部２２の劣化情報生成部３１は、受信した確認結果を、劣化情報記憶部２９に記憶されている劣化情報の診断結果に関連付け、当該劣化情報に格納する（ステップＳ２１）。
【００７１】
図１６は、第１の実施形態における、関連付け処理（ステップＳ２１）の詳細を示すフローチャートである。
【００７２】
劣化診断装置２０の劣化情報生成部３１は、劣化情報において確認結果が関連付けられていない診断結果のうち、ステップＳ２０で受信した確認結果との関連付け条件を満たす診断結果を抽出する（ステップＳ２１１）。ここで、関連付け条件として、例えば、診断結果における検出位置と確認結果における確認位置との間の距離が所定の閾値以下であること（以下、条件１とも記載）を用いる。
【００７３】
また、条件１に加えて、診断結果における情報取得日時と確認結果における確認日時との時間差が所定の閾値以下であること（以下、条件２とも記載）、すなわち、条件１と条件２のＡＮＤ条件を関連付け条件として用いてもよい。
【００７４】
また、条件１に加えて、診断結果の検出種別と確認結果の確認種別とが同種であること（以下、条件３とも記載）、すなわち、条件１と条件３のＡＮＤ条件を関連付け条件として用いてもよい。
【００７５】
また、条件１、２、及び、３のＡＮＤ条件を関連付け条件として用いてもよい。
【００７６】
劣化情報生成部３１は、抽出した診断結果に確認結果を関連付けて、劣化情報に格納して、劣化情報記憶部２９に記憶させる（ステップＳ２１２）。
【００７７】
例えば、関連付け条件として、上述の条件１を用いる場合であって、図３の確認結果の確認位置「ＬＣ１」と、図８の劣化情報における劣化「Ｄ１」の診断結果の検出位置「ＬＤ１」との間の距離が所定の閾値以下の場合、劣化情報生成部３１は、劣化「Ｄ１」の診断結果を抽出する。そして、劣化情報生成部３１は、図５のように、劣化「Ｄ１」の診断結果に、図３の確認結果を関連づける。
【００７８】
なお、ステップＳ２１１で、確認結果との関連付け条件が満たされる診断結果を抽出できない場合、劣化情報生成部３１は、ステップＳ２０で受信した確認結果を、新たな劣化として、劣化情報に格納してもよい。この場合、劣化情報生成部３１は、例えば、確認結果に対して、新たな劣化ＩＤを付与して、劣化情報に格納する。
【００７９】
次に、表示制御部２３は、更新された劣化情報に基づき、表示装置３０に、劣化位置地図画面を表示させる（ステップＳ２２）。図１７は、第１の実施形態における、劣化診断装置２０の劣化位置地図画面の他の例を示す図である。図１７の例では、地図上の劣化「Ｄ１」の検出位置に、グレーの丸が表示されている。ここで、グレーの丸は、確認結果が得られた（関連付けられた）劣化を示す。例えば、表示制御部２３は、図５の劣化情報に基づき、図１７の劣化位置地図画面を表示制御部２３に表示させる。
【００８０】
表示制御部２３は、表示装置３０の劣化位置地図画面上で、道路管理者から指定された劣化を示す劣化情報画面を、表示装置３０に表示させる（ステップＳ２３）。図１８は、第１の実施形態における、劣化情報画面の他の例を示す図である。図１８は、劣化「Ｄ１」が指定された場合の例であり、劣化「Ｄ１」の診断結果における、情報取得日時、検出種別、検出状態、及び、診断画像に加えて、確認結果における、確認日時、確認種別、コメント、補修状態、及び、確認画像が示されている。例えば、表示制御部２３は、図１７の劣化位置地図画面で、道路管理者が劣化「Ｄ１」を指定し、「劣化情報」ボタンを押下すると、図５の劣化情報に基づき、図１８の劣化情報画面を表示装置３０に表示させる。
【００８１】
さらに、上述のステップＳ１４〜Ｓ１６と同様に、端末装置５０も劣化診断装置２０から、更新された劣化情報に基づく劣化位置地図画面や劣化情報画面を受信し、表示してもよい。
【００８２】
以降、車両４０から劣化診断装置２０に新たなセンサ情報が送信されると、ステップＳ１１からの動作が実行される。
【００８３】
例えば、新たなセンサ情報に対する診断により、検出済みの劣化の検出位置の近傍で、当該検出済みの劣化と同じ検出種別の劣化が検出された場合、劣化情報生成部３１は、新たな診断による劣化を検出済みの劣化と同じ劣化と判断する。ここで、近傍とは、距離が所定の範囲内であるものとする。この場合、劣化情報生成部３１は、劣化情報において、検出済みの劣化の診断結果を、新たな診断結果で更新する。
【００８４】
一方、新たなセンサ情報に対する診断により、検出済みの劣化の検出位置の近傍で、当該検出済みの劣化と異なる検出種別の劣化が検出された場合、劣化情報生成部３１は、新たな診断による劣化を新たな劣化と判断する。この場合、劣化情報生成部３１は、新たな診断結果を、新たな劣化の診断結果として、劣化情報に登録する。
【００８５】
以上により、第１の実施形態の動作が完了する。
【００８６】
（第１の実施形態の変形例１）
上述の説明では、劣化位置地図において、劣化情報において確認結果が関連付けられていない劣化と、関連付けられている劣化とを異なる態様（白丸とグレーの丸）で表示した。これに限らず、劣化情報の内容に応じた他の態様で、劣化を表示してもよい。この場合、劣化情報の内容に応じて、例えば、異なる記号や、図形、文字、模様、色、大きさ、線種、これらの組合せを用いて、劣化を表示してもよい。
【００８７】
図１９は、第１の実施形態における、劣化位置地図画面における劣化の表示態様の定義例を示す図である。図１９の例では、劣化情報における確認結果の関連づけの有無（確認結果：有または無）、診断結果の検出種別と確認結果の確認種別との同異（種別：同または異）、確認結果の補修状態が示す補修の有無（補修：済または未）に応じて、異なる図形が定義されている。
【００８８】
表示制御部２３は、劣化情報に含まれる各劣化について、劣化情報の内容に応じて、劣化の表示態様（図形）を決定し、地図上の、劣化が検出された位置に表示する。
【００８９】
図２０は、第１の実施形態における、劣化情報のさらに他の例を示す図である。また、図２１は、第１の実施形態における、劣化位置地図画面のさらに他の例を示す図である。例えば、表示制御部２３は、図１９の表示態様の定義と図２０の劣化情報とに基づき、図２１の劣化位置地図画面を表示装置３０に表示させる。
【００９０】
（第１の実施形態の変形例２）
劣化情報生成部３１は、新たなセンサ情報に対する診断により、検出済みの劣化の検出位置の近傍で、当該劣化と同じ検出種別の劣化が検出された場合、検出状態（劣化度）の悪化の有無を判定してもよい。ここで、劣化情報生成部３１は、新たな診断結果における検出状態が前の診断結果より悪化している場合に、関連付けられた確認結果を削除するとともに、検出状態の悪化を道路管理者に通知してもよい。劣化情報生成部３１は、例えば、新たな診断結果における検出状態と前の診断結果における検出状態との差が所定の閾値以上であれば、検出状態の悪化と判定する。
【００９１】
図２２は、第１の実施形態における、劣化の表示態様の遷移の例を示す図である。図２２の例では、劣化「Ｄ１」の検出位置「ＬＤ１」の前の診断結果を第１の診断結果、検出位置「ＬＤ１」の近傍における新たな診断結果を第２の診断結果と記載している。また、図２２における劣化の表示態様は、図１９の定義に従っている。
【００９２】
例えば、検出状態「ひび割れ率」に関する所定の閾値が「５％」の場合、図２２のケース１では、検出状態の差が所定の閾値未満であるため、確認結果は削除されない。したがって、第１の診断結果に対して確認結果が得られた時点で表示された「グレーの丸」は、第２の診断結果が得られても変わらない。一方、図２２のケース２では、検出状態の差が所定の閾値以上であるため、確認結果が削除される。したがって、第１の診断結果に対して確認結果が得られた時点で表示された表示態様「グレーの丸」は、第２の診断結果が得られた時点で、「白丸」に戻される。そして、ポップアップにより、検出状態の悪化が通知される。
【００９３】
これにより、道路管理者は、確認済みの劣化について、検出状態が悪化していることを把握できる。そして、現地での再確認の必要性を判断し、作業者へ現地での再確認を指示できる。
【００９４】
（第１の実施形態の変形例３）
新たなセンサ情報に対する診断により、検出済み、かつ、補修済みの劣化の検出位置の近傍で、当該劣化と同じ検出種別の劣化が検出された場合、補修跡を劣化として誤検出する可能性がある。そこで、劣化情報生成部３１は、この場合に、新たな診断結果を劣化診断装置２０の保守者等に通知し、誤検出かどうかを確認させてもよい。保守者等による確認の結果、誤検出であった場合は、劣化情報生成部３１は、劣化情報における診断結果の更新は行わない。一方、誤検出でなかった場合、劣化情報生成部３１は、新たな診断結果を新たな劣化の診断結果として、劣化情報に登録し、新たな劣化の検出を道路管理者に通知してもよい。このように、検出済み、かつ、補修済みの劣化の検出位置の近傍における新たな診断結果を保守者に通知することで、保守者は、誤検出を引き起こすデータを確認することができ、劣化診断装置２０の診断結果の精度改善に役立てることができる。なお、誤検出の確認を、道路管理者等、保守者以外が行ってもよい。
【００９５】
図２３は、第１の実施形態における、劣化の表示態様の遷移の他の例を示す図である。図２３の例では、補修済みの劣化「Ｄ１」の検出位置「ＬＤ１」の前の診断結果を第１の診断結果、検出位置「ＬＤ１」の近傍における新たな診断結果を第２の診断結果と記載している。また、図２３における劣化の表示態様も、図１９の定義に従っている。
【００９６】
例えば、図２３のケース１では、保守者等による確認結果が誤検出であったため、診断結果は更新されない。したがって、第１の診断結果に対して確認結果が得られた時点で表示された「グレーの四角」は、第２の診断結果が得られても変わらない。一方、図２３のケース２では、保守者等による確認結果が誤検出でなかったため、第２の診断結果が新たな劣化「Ｄ６」の診断結果として登録される。したがって、さらに、第２の診断結果に対して「白丸」が表示される。そして、ポップアップにより、新たな劣化の検出が通知されている。
【００９７】
これにより、道路管理者は、補修済みの劣化の近傍に新たな劣化が発生していることを把握できる。そして、現地での確認の必要性を判断し、作業者へ現地での確認を指示できる。
【００９８】
（第１の実施形態の変形例４）
第１の実施形態では、診断結果と確認結果との関連付け条件として、位置に加えて、日時や劣化種別に関する条件を用いた。しかしながら、これに限らず、さらに、撮影方向に関する条件を用いてもよい。
【００９９】
例えば、劣化診断装置２０は、車両４０から、道路画像の撮影方向を含むセンサ情報を取得し、診断結果に含めて、劣化情報に格納する。道路画像の撮影方向は、例えば、車両に搭載されたジャイロセンサーにより取得される。また、劣化診断装置２０は、端末装置５０から、確認画像の撮影方向を含む確認結果を取得する。確認画像の撮影方向も、例えば、端末装置５０のジャイロセンサーにより取得される。
【０１００】
劣化情報生成部３１は、上述の関連付け処理（ステップＳ２１）において、診断結果の撮影方向と確認結果の撮影方向との差が所定の閾値以下であることを条件４とする。そして、劣化情報生成部３１は、条件１と条件４のＡＮＤ条件や、条件１、２、及び、４のＡＮＤ条件、条件１、３、及び、４のＡＮＤ条件、条件１、２、３、及び、４のＡＮＤ条件を関連付け条件として、診断結果と確認結果とを関連付ける。
【０１０１】
これにより、さらに正確に、診断結果と確認結果とを関連づけることができる。
【０１０２】
（第１の実施形態の変形例５）
第１の実施形態では、劣化情報に格納されている診断結果に対して、確認結果が関連付けられる場合について説明した。しかしながら、これに限らず、劣化情報に格納されている確認結果に対して、診断結果が関連付けられてもよい。
【０１０３】
例えば、地域住民から道路の劣化がクレームとして寄せられ、作業者が、クレームされた劣化の地点に行き、当該劣化の確認結果を劣化診断装置２０に送信する場合がある。この場合、道路管理者は、地域住民から寄せられた、ある地点における道路の劣化に関するクレームを受け付ける。劣化のクレームは、例えば、窓口や、電話、メール等で受け付ける。道路管理者は、受け付けたクレームにおける、劣化の位置と、劣化の種別や大きさ等の情報を作業者に伝える。作業者は、このような情報に基づいて、現地に行き、クレームされた劣化を確認して、端末装置５０を用いて確認結果を劣化診断装置２０に送信する。
【０１０４】
劣化診断装置２０では、劣化情報生成部３１が、受信した確認結果との関連付け条件を満たす診断結果の有無を判定する。関連付け条件を満たす診断結果があれば、劣化情報生成部３１は、確認結果を診断結果に関連付ける。
【０１０５】
関連付け条件を満たす診断結果がなければ、劣化情報生成部３１は、当該確認結果を、新たな劣化として劣化情報に格納する。この場合、劣化情報生成部３１は、例えば、確認結果に対して、新たな劣化ＩＤを付与して、劣化情報に格納する。また、表示制御部２３は、このように、劣化情報において診断結果が関連付けられていない劣化を、上述の劣化位置地図上の、確認位置に示してもよい。この場合、表示制御部２３は、診断結果が関連付けられていない劣化を、診断結果が得られている劣化と異なる態様で示してもよい。
【０１０６】
その後、劣化診断部２１により、新たな診断結果が取得された場合、劣化情報生成部３１は、劣化情報において診断結果が関連付けられていない確認結果のうち、新たな診断結果との関連付け条件を満たす確認結果の有無を判定する。関連付け条件を満たす確認結果があれば、劣化情報生成部３１は、診断結果を確認結果に関連付ける。表示制御部２３は、このように、診断結果が関連付けられた劣化については、例えば、図１７のような、確認結果が得られた劣化と同様の態様で、劣化位置地図上の検出位置に示してもよい。
【０１０７】
これにより、ある劣化に対して、診断結果より前に確認結果が得られる場合であっても、診断結果と確認結果とを関連づけることができる。
【０１０８】
（第１の実施形態の効果）
第１の実施形態によれば、移動体で収集したセンサ情報に基づいて検出された劣化に対して、その発生場所での、正しい確認結果を関連付けることができる。その理由は、劣化診断装置２０の劣化情報処理部２２が、作業者により確認された路上の劣化の位置と診断により検出された劣化の位置とに基づいて、診断結果と確認結果とを関連づけるためである。
【０１０９】
（第２の実施形態）
第２の実施形態について説明する。
【０１１０】
第２の実施形態では、関連付け処理において、確認結果との関連付け条件を満たす診断結果が複数存在する場合について説明する。
【０１１１】
上述の関連付け処理（ステップＳ２１）において、確認結果との関連付け条件を満たす診断結果が複数存在する場合、劣化情報生成部３１は、関連付け条件を満たす診断結果を、関連付け候補として、道路管理者に出力する。そして、劣化情報生成部３１は、道路管理者から、関連付け候補のうちの確認結果との関連付けする診断結果の選択を受け付ける。
【０１１２】
図２４は、第２の実施形態における、診断結果選択画面の例を示す図である。図２４の例では、確認結果と、当該確認結果との関連付け条件を満たす、劣化「Ｄ１」、「Ｄ７」の診断結果、及び、各診断結果の「選択」ボタンが表示されている。
【０１１３】
道路管理者は、例えば、それぞれの診断画像と、確認画像と見比べることで、確認対象と関連付ける診断結果を選択する。
【０１１４】
例えば、劣化情報生成部３１は、表示制御部２３に、図２４の診断結果選択画面を表示装置３０に表示させ、道路管理者が「選択」ボタンを押下することにより選択した診断結果に、確認結果を関連付け、劣化情報に格納する。
【０１１５】
（第２の実施形態の効果）
第２の実施形態によれば、第１の実施形態の効果に加えて、確認結果との関連付け条件を満たす診断結果が複数存在する場合であっても、正しい確認結果を関連付けることができる。その理由は、劣化情報処理部２２が、関連付け条件を満たす診断結果が複数ある場合に、当該複数の診断結果を出力し、当該複数の診断結果のうちの確認結果と関連付ける診断結果の選択を受け付けるためである。
（第３の実施形態）
第３の実施形態について説明する。
【０１１６】
図２５は、第３の実施形態における、劣化診断装置１の構成を示すブロック図である。劣化診断装置１は、診断部２、関連付け部３、及び、記憶部４を含む。診断部２、関連付け部３、及び、記憶部４は、それぞれ、本開示の診断手段、関連付け手段、及び、記憶手段の一実施形態である。また、診断部２、関連付け部３、及び、記憶部４は、それぞれ、第１の実施形態の、劣化診断部２１、劣化情報生成部３１、及び、劣化情報記憶部２９に相当する。
【０１１７】
診断部２は、移動体で収集したセンサ情報を分析することにより路上の劣化を診断し、検出された劣化の位置を出力する。関連付け部３は、人により確認された路面の劣化の位置と診断により検出された劣化の位置とに基づいて、診断の結果と確認の結果とを関連づける。記憶部４は、関連づけられた診断の結果と確認の結果とを記憶する。
【０１１８】
（第３の実施形態の効果）
第３の実施形態によれば、移動体で収集したセンサ情報に基づいて検出された劣化に対して、その発生場所での、正しい確認結果を関連付けることができる。その理由は、劣化診断装置１の関連付け部３が、人により確認された路上の劣化の位置と診断により検出された劣化の位置とに基づいて、診断の結果と確認の結果とを関連づけるためである。
（ハードウェア構成）
上述した各実施形態において、劣化診断装置２０や端末装置５０の各構成要素は、機能単位のブロックを示している。各装置の各構成要素の一部又は全部は、コンピュータ５００とプログラムとの任意の組み合わせにより実現されてもよい。
【０１１９】
図２６は、コンピュータ５００のハードウェア構成の例を示すブロック図である。図２６を参照すると、コンピュータ５００は、例えば、ＣＰＵ（Central Processing Unit）５０１、ＲＯＭ（Read Only Memory）５０２、ＲＡＭ（Random Access Memory）５０３、プログラム５０４、記憶装置５０５、ドライブ装置５０７、通信インタフェース５０８、入力装置５０９、出力装置５１０、入出力インタフェース５１１、及び、バス５１２を含む。
【０１２０】
プログラム５０４は、各装置の各機能を実現するための命令（instruction）を含む。プログラム５０４は、予め、ＲＯＭ５０２やＲＡＭ５０３、記憶装置５０５に格納される。ＣＰＵ５０１は、プログラム５０４に含まれる命令を実行することにより、各装置の各機能を実現する。例えば、劣化診断装置２０のＣＰＵ５０１がプログラム５０４に含まれる命令を実行することにより、表示制御部２３、センサ情報取得部２４、分析部２６、送受信部２８、及び、劣化情報生成部３１の機能を実現する。また、例えば、劣化診断装置２０のＲＡＭ５０３が、分析モデル記憶部２７のデータを記憶してもよい。また、例えば、劣化診断装置２０の記憶装置５０５が、センサ情報記憶部２５、及び、劣化情報記憶部２９のデータを記憶してもよい。
【０１２１】
ドライブ装置５０７は、記録媒体５０６の読み書きを行う。通信インタフェース５０８は、通信ネットワークとのインタフェースを提供する。入力装置５０９は、例えば、マウスやキーボード等であり、オペレータ等からの情報の入力を受け付ける。出力装置５１０は、例えば、ディスプレイであり、オペレータ等へ情報を出力（表示）する。入出力インタフェース５１１は、周辺機器とのインタフェースを提供する。バス５１２は、これらハードウェアの各構成要素を接続する。なお、プログラム５０４は、通信ネットワークを介してＣＰＵ５０１に供給されてもよいし、予め、記録媒体５０６に格納され、ドライブ装置５０７により読み出され、ＣＰＵ５０１に供給されてもよい。
【０１２２】
なお、図２６に示されているハードウェア構成は例示であり、これら以外の構成要素が追加されていてもよく、一部の構成要素を含まなくてもよい。
【０１２３】
劣化診断装置２０や端末装置５０の実現方法には、様々な変形例がある。例えば、劣化診断装置２０は、構成要素毎にそれぞれ異なるコンピュータとプログラムとの任意の組み合わせにより実現されてもよい。また、各装置が備える複数の構成要素が、一つのコンピュータとプログラムとの任意の組み合わせにより実現されてもよい。
【０１２４】
また、各装置の各構成要素の一部または全部は、プロセッサ等を含む汎用または専用の回路（circuitry）や、これらの組み合わせによって実現されてもよい。これらの回路は、単一のチップによって構成されてもよいし、バスを介して接続される複数のチップによって構成されてもよい。各装置の各構成要素の一部又は全部は、上述した回路等とプログラムとの組み合わせによって実現されてもよい。
【０１２５】
また、各装置の各構成要素の一部又は全部が複数のコンピュータや回路等により実現される場合、複数のコンピュータや回路等は、集中配置されてもよいし、分散配置されてもよい。
【０１２６】
以上、実施形態を参照して本開示を説明したが、本開示は上記実施形態に限定されるものではない。本開示の構成や詳細には、本開示のスコープ内で当業者が理解し得る様々な変更をすることができる。また、各実施形態における構成は、本開示のスコープを逸脱しない限りにおいて、互いに組み合わせることが可能である。
【符号の説明】
【０１２７】
１、２０    劣化診断装置
２          診断部
３          関連付け部
４          記憶部
１０        劣化診断システム
２１        劣化診断部
２２        劣化情報処理部
２３        表示制御部
２４        センサ情報取得部
２５        センサ情報記憶部
２６        分析部
２７        分析モデル記憶部
２８、５１  送受信部
２９        劣化情報記憶部
３０        表示装置
３１        劣化情報生成部
４０        車両
５０        端末装置
５２        位置取得部
５３        案内部
５４        撮像部
５５        表示部
５６        入力部
５００    コンピュータ
５０１    ＣＰＵ
５０２    ＲＯＭ
５０３    ＲＡＭ
５０４    プログラム
５０５    記憶装置
５０６    記録媒体
５０７    ドライブ装置
５０８    通信インタフェース
５０９    入力装置
５１０    出力装置
５１１    入出力インタフェース
５１２    バス
【要約】
移動体で収集したセンサ情報に基づいて検出された劣化に対して、その発生場所での、正しい確認結果を関連付ける。劣化診断装置１の診断部２は、移動体で収集したセンサ情報を分析することにより路上の劣化を診断し、検出された劣化の位置を出力する。関連付け部３は、人により確認された路上の劣化の位置と診断により検出された劣化の位置とに基づいて、診断の結果と前記確認の結果とを関連づける。記憶部４は、関連づけられた診断の結果と確認の結果とを記憶する。【図１】
0006892974.tif 000002
【図２】
0006892974.tif 000003
【図３】
0006892974.tif 000004
【図４】
0006892974.tif 000005
【図５】
0006892974.tif 000006
【図６】
0006892974.tif 000007
【図７】
0006892974.tif 000008
【図８】
0006892974.tif 000009
【図９】
0006892974.tif 000010
【図１０】
0006892974.tif 000011
【図１１】
0006892974.tif 000012
【図１２】
0006892974.tif 000013
【図１３】
0006892974.tif 000014
【図１４】
0006892974.tif 000015
【図１５】
0006892974.tif 000016
【図１６】
0006892974.tif 000017
【図１７】
0006892974.tif 000018
【図１８】
0006892974.tif 000019
【図１９】
0006892974.tif 000020
【図２０】
0006892974.tif 000021
【図２１】
0006892974.tif 000022
【図２２】
0006892974.tif 000023
【図２３】
0006892974.tif 000024
【図２４】
0006892974.tif 000025
【図２５】
0006892974.tif 000026
【図２６】
0006892974.tif 000027